(57)【要約】【課題】簡易な構造で、音の広がりを大きくすることができる照明装置を提供する。【解決手段】照明装置１は、光を出射する照明部２０と、音響を発する音響部４０と、照明部２０及び音響部４０を収容する外装カバー１２とを備える。そして、音響部４０は、照明部２０の外周に配置されており、音響の指向性の中心方向が、照明部２０が出射する光の光軸Ｊと交差する。【選択図】図５
2019102291.tif 000002
【特許請求の範囲】
【請求項１】
光を出射する照明部と、
音響を発する音響部と、
前記照明部及び前記音響部を収容する筐体とを備え、
前記音響部は、
前記照明部の外周に配置されており、
音響の指向性の中心方向が、前記照明部が出射する光の光軸と交差する
照明装置。
【請求項２】
前記中心方向と前記光軸との角度は、０°よりも大きく、４５°以下である
請求項１に記載の照明装置。
【請求項３】
前記中心方向と前記光軸との角度は、５°以上２５°以下である
請求項１に記載の照明装置。
【請求項４】
前記音響部は、当該照明装置に対して外方に傾く姿勢で配置されている
請求項１〜３のいずれか１項に記載の照明装置。
【請求項５】
さらに、
前記照明部の外方に向けて延設する導光板と、
前記導光板に対して光を入射させる光源とを備える
請求項１〜４のいずれか１項に記載の照明装置。
【請求項６】
前記導光板は、一対設けられており、
前記導光板は、当該照明装置を平面視した場合に、前記照明部を挟んでそれぞれに配置されている
請求項５に記載の照明装置。
【請求項７】
前記照明部は、長尺状であり、
前記音響部は、一対設けられており、
前記音響部は、前記照明部を挟んで前記照明部の長手方向のそれぞれに配置されている
請求項１〜６のいずれか１項に記載の照明装置。
【発明の詳細な説明】
【技術分野】
【０００１】
本発明は、照明部と音響部とを備えた照明装置に関する。
【背景技術】
【０００２】
従来、例えば、照明装置とスピーカとを備えた電子機器が知られている（例えば特許文献１参照）。このような電子機器では、照明装置とスピーカとが一体化されて、天井に取り付けられている。電子機器に設けられているスピーカは、照明装置が光を出射する発光面と略平行に配置されている。
【先行技術文献】
【特許文献】
【０００３】
【特許文献１】特開２０１７−１８２９２０号公報
【発明の概要】
【発明が解決しようとする課題】
【０００４】
ところで、電子機器が天井に取り付けられた場合では、スピーカが発した音は床面に向かうため、音が広がり難い。このため、ユーザが存在する場所によっては、聞こえ辛くなってしまうことがある。そこで、スピーカから出力する音を広範囲に広げるために、特殊な構造を採用する必要があり、構造が複雑化し易い。
【０００５】
このため、本開示は、簡易な構造で、音の広がりを大きくすることができる照明装置を提供することを目的とする。
【課題を解決するための手段】
【０００６】
上記目的を達成するために、本発明に係る照明装置の一態様は、光を出射する照明部と、音響を発する音響部と、前記照明部及び前記音響部を収容する筐体とを備え、前記音響部は、前記照明部の外周に配置されており、音響の指向性の中心方向が、前記照明部が出射する光の光軸と交差する。
【発明の効果】
【０００７】
本開示によれば、簡易な構造で、音の広がりを大きくすることができる。
【図面の簡単な説明】
【０００８】
【図１】図１は、実施の形態に係る照明装置を示す斜視図である。
【図２】図２は、実施の形態に係る照明装置を示す分解斜視図である。
【図３】図３は、実施の形態に係る照明装置を正面から見た場合の、照明装置の概略構成を示す正面図である。
【図４】図４は、実施の形態に係る照明装置の音響部を示す斜視図である。
【図５】図５は、図１のＶ−Ｖ線を含む切断面を見た場合の、照明装置の断面図である。
【図６】図６は、図１のＶＩ−ＶＩ線を含む切断面を見た場合の、照明装置の部分断面図である。
【発明を実施するための形態】
【０００９】
以下、実施の形態について、図面を参照しながら説明する。なお、以下に説明する実施の形態は、本発明の一具体例を示すものである。したがって、以下の実施の形態示される、数値、形状、材料、構成要素、構成要素の配置位置及び接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１０】
また、「略＊＊」との記載は、「略矩形状」を例に挙げて説明すると、完全な矩形状はもとより、実質的に矩形状と認められるものを含む意図である。
【００１１】
なお、各図は、模式図であり、必ずしも厳密に図示されたものではない。また、各図において、実質的に同一の構成に対しては同一の符号を付しており、重複する説明は省略又は簡略化する場合がある。
【００１２】
以下、本開示の実施の形態に係る照明装置について説明する。
【００１３】
（実施の形態）
［照明装置の全体構成］
図１は、実施の形態に係る照明装置１を示す斜視図である。図２は、実施の形態に係る照明装置１を示す分解斜視図である。
【００１４】
ここでは、照明装置１の装置本体２の短手方向をＸ軸方向と規定し、装置本体２の長手方向をＹ軸方向と規定し、Ｘ軸方向とＹ軸方向とに直交する方向をＺ軸方向と規定する。また、装置本体２に対する第一導光板３側をＸ軸プラス方向と規定し、照明部２０の第一開口部２０ａに対する第一無線モジュール４６側をＹ軸プラス方向と規定し、照明装置１が取り付けられる造営材側をＺ軸プラス方向と規定する。本実施の形態では、説明の便宜上、Ｚ軸方向を上下方向として説明するが、照明装置１の使用形態によってはＺ軸方向が上下方向とならない場合もある。
【００１５】
図１及び図２に示すように、照明装置１は、エッジライト方式の導光板を備えており、天井及び壁などの造営材に固定されている。具体的には、照明装置１は、造営材に配設されている引っ掛けシーリング１１等の外部の電源と電気的に接続された状態で固定されている。なお、天井は、Ｘ−Ｙ平面に対して略平行である。
【００１６】
照明装置１は、装置本体２と、第一導光板３と、第二導光板４と、第一遮光部材５と、第二遮光部材６と、透光カバー７と、一対の支持部材８とを備えている。
【００１７】
装置本体２は、Ｙ軸方向に長尺な箱状体である。装置本体２は、外装カバー１２と、一対の音響部４０と、照明部２０と、一対のレンズカバー２３と、照明制御部１３と、照明電源部１５と、音響制御部１６と、音響電源部１７とを有する。
【００１８】
図２に示すように、外装カバー１２は、Ｙ軸方向に長尺な矩形状の箱体であり、Ｚ軸プラス方向及びＺ軸マイナス方向で開放されている。具体的には、外装カバー１２は、Ｚ軸マイナス方向側では、全体が開放されており、Ｚ軸プラス方向側では、中央部分が略矩形状に開放されている。外装カバー１２は、筐体の一例である。
【００１９】
また、外装カバー１２は、一対の音響部４０、照明部２０、第一無線モジュール４６、第二無線モジュール４７、第一遮光部材５、第二遮光部材６、照明制御部１３、照明電源部１５、音響制御部１６及び音響電源部１７等を収容している。外装カバー１２は、照明装置１の外側のカバーである。
【００２０】
［音響部］
一対の音響部４０は、端末装置から送信された無線信号に含まれる音データに基づいて音を出力することが可能な装置である。音響部４０の一方は、外装カバー１２のＹ軸プラス方向の端部側に位置する収容空間１２ａに収容され、音響部４０の他方は、外装カバー１２のＹ軸マイナス方向の端部側に位置する収容空間１２ａに収容されている。つまり、音響部４０は、照明部２０の外周に配置されている。また、音響部４０は、照明装置１を平面視した場合に、第一導光板３、第二導光板４及び照明部２０と重ならないように配置されている。なお、端末装置は、照明装置１を操作するリモコンなどである。
【００２１】
図３は、実施の形態に係る照明装置１を正面から見た場合の、照明装置１の概略構成を示す正面図である。図３では、照明装置１から後述する透光カバー７及び後述するカバー体４２を取り除いた状態を示している。
【００２２】
図３に示すように、一対の音響部４０は、Ｙ軸方向において、照明部２０、第一遮光部材５、第二遮光部材６、照明制御部１３、照明電源部１５、音響制御部１６及び音響電源部１７を挟んで配置されている。一方の音響部４０は、外装カバー１２におけるＹ軸プラス方向の端部に設けられ、他方の音響部４０は、外装カバー１２におけるＹ軸マイナス方向の端部に設けられている。
【００２３】
図４は、実施の形態に係る照明装置１の音響部４０を示す斜視図である。図５は、図１のＶ−Ｖ線を含む切断面を見た場合の、照明装置１の断面図である。
【００２４】
図４に示すように、音響部４０は、一対のスピーカ４１と、一対の音響収容体１４２と、各々のスピーカ４１を支持する一対の音響支持体１４１と、一対のスピーカ４１を個別に覆う一対のカバー体４２とを備えている。
【００２５】
図４及び図５に示すように、一対のスピーカ４１は、それぞれ対応するカバー体４２に対応して傾く姿勢で音響支持体１４１に取り付けられている。具体的には、一対のスピーカ４１から伝達される音の指向性の中心線ＳがＺ軸方向に対して傾いている。言い換えれば、この中心線Ｓは、それぞれのカバー体４２の底面の法線方向と略平行である。中心線Ｓは、Ｚ軸方向に対して角度θで傾いている。一方のスピーカ４１の中心線Ｓと他方のスピーカ４１の中心線Ｓとの交点は、照明装置１のＺ軸プラス方向側に形成される。角度θは、中心線Ｓと略平行な中心方向と光軸Ｊとの角度である。なお、カバー体４２の底面は、Ｚ軸マイナス方向側の面である。なお、スピーカ４１は、音響部の一例であってもよい。
【００２６】
一対のスピーカ４１のそれぞれは、例えば、コーン、センターキャップ、ボイスコイル、ヨーク、永久磁石等で構成されている。
【００２７】
また、一対のスピーカ４１には、不図示のケーブルを介して音響制御部１６と音響電源部１７とが電気的に接続されている。一対のスピーカ４１は、音響電源部１７から電力が供給されるとともに、音響制御部１６の制御によって音を出力する。
【００２８】
一対のスピーカ４１は、平面視した場合に略矩形状であり、その四辺のうち三辺が外装カバー１２の内壁面に近接配置されている。このスピーカ４１における三辺と、外装カバー１２の内壁面との間には、緩衝材が設けられている。緩衝材としては、スピーカ４１の振動を吸収できるものであれば如何なるものを採用することができる。緩衝材は、例えばゴムやウレタンなどの弾性体から形成されている。スピーカ４１が音を出力することによって発生した振動は、緩衝材によって吸収される。このため、スピーカ４１を起因とした振動が、外装カバー１２、外装カバー１２に収容された照明部２０、照明部２０に支持された第一導光板３、第二導光板４などに伝わることが抑制されている。
【００２９】
一対の音響収容体１４２は、一対のスピーカ４１を、一対一で収容する筐体であり、Ｚ軸方向のマイナス方向側が全体として開放されている。具体的には、Ｙ軸プラス方向の端部に設けられる音響収容体１４２は、Ｙ軸プラス方向の端部に設けられるスピーカ４１を収容し、Ｙ軸マイナス方向の端部に設けられる音響収容体１４２は、Ｙ軸マイナス方向の端部に設けられるスピーカ４１を収容している。一対の音響収容体１４２は、締結部材によって外装カバー１２に固定されている。
【００３０】
一対の音響支持体１４１は、それぞれのスピーカ４１を、照明装置１に対して外方に傾く姿勢で支持している。つまり、一対の音響支持体１４１は、一対のスピーカ４１から伝達される音の指向性の中心線Ｓが、鉛直方向に対して傾く姿勢で支持することが可能である。一対の音響支持体１４１は、一対の音響収容体１４２と一対一で対応し、一対のスピーカ４１とともに、Ｚ軸方向のマイナス方向側が全体として開放されている部分を覆っている。具体的には、一対の音響支持体１４１は、それぞれ、傾斜板状部１４１ｂと、傾斜壁部１４１ａとを有する。ここでいう外方に傾く姿勢は、一対のスピーカ４１から伝達される音の指向性の中心線Ｓが照明部２０側とは反対側に向く姿勢である。
【００３１】
傾斜板状部１４１ｂは、平面視した場合に略矩形状の板状部材である。傾斜板状部１４１ｂは、水平方向つまり、Ｘ−Ｙ平面に対して傾斜している。傾斜板状部１４１ｂの略中央部分には、スピーカ４１の振動板を露出させた状態で、中心線Ｓが鉛直方向に対して傾く姿勢で支持することが可能な開口部１４１ｄが形成されている。開口部１４１ｄには、スピーカ４１が嵌め込まれている。
【００３２】
傾斜壁部１４１ａは、傾斜板状部１４１ｂに対して、略Ｚ軸プラス方向に立ち上がる壁である。傾斜壁部１４１ａは、レンズカバー２３側の傾斜板状部１４１ｂの端縁に沿って形成されている。傾斜壁部１４１ａの先端縁には、鍔状の鍔部１４１ｃが張り出ている。この鍔部１４１ｃは、締結部材によって、音響収容体１４２に固定される。
【００３３】
これにより、一対の音響支持体１４１は、一対一で一対のスピーカ４１を支持する。言い換えれば、スピーカ４１は、傾斜板状部１４１ｂに固定されるため、外方に傾く姿勢で支持される。
【００３４】
一対のカバー体４２は、例えばスピーカのグリルネットである。一対のカバー体４２は、それぞれ平板状である。一方のカバー体４２は、外装カバー１２におけるＹ軸プラス方向の端部に設けられ、他方のカバー体４２は、外装カバー１２におけるＹ軸マイナス方向の端部に設けられている。一対のカバー体４２は、Ｙ軸方向において、照明部２０、第一遮光部材５、第二遮光部材６、照明制御部１３、照明電源部１５、音響制御部１６及び音響電源部１７を挟んで配置されている。
【００３５】
一対のカバー体４２は、外装カバー１２に取り付けられた場合に、Ｘ軸方向から見て外方を向くように、傾く姿勢で外装カバー１２に取り付けられている。一対のカバー体４２は、一対の音響支持体１４１に一対一で、Ｘ−Ｙ平面に対して外方に傾く姿勢で支持されている。これにより、音響部４０は、音響の指向性の中心方向が光軸Ｊと交差するように、後述する発光面２２に対して角度θで傾斜して配置されている。
【００３６】
それぞれのカバー体４２の底面は、Ｘ−Ｙ平面に対して角度θで傾斜している。言い換えれば、それぞれのカバー体４２の底面は、発光面２２に対して傾斜している。角度θは、０°よりも大きく、４５°以下である。特に、角度θは、５°以上２５°以下であることが好ましい。本実施の形態では、角度θは、１２．５°である。
【００３７】
［照明部］
図２に示すように、照明部２０は、Ｙ軸方向に長尺な矩形状である。つまり、照明部２０の長手方向がＹ軸方向となる。照明部２０は、中央部分に円形状の第一開口部２０ａを有している。第一開口部２０ａは取付用の開口部であり、照明部２０が、この第一開口部２０ａを介して引っ掛けシーリング１１に取り付けられる。これにより、照明部２０と引っ掛けシーリング１１とが電気的に接続される。また、照明部２０は、一対の発光モジュール２１と、収容体２５とを有する。なお、照明部２０は、収容体２５を有していなくてもよく、収容体２５を有することが必須の構成要件ではない。
【００３８】
［発光モジュール］
一対の発光モジュール２１は、例えばネジ等の締結部材１９により収容体２５に固定されている。具体的には、一対の発光モジュール２１は、第一開口部２０ａを挟むように、第一開口部２０ａに対してＹ軸プラス方向側及びＹ軸マイナス方向側にそれぞれ配置されている。なお、本実施の形態では、２つの発光モジュール２１を用いているが、１つの発光モジュール２１であってもよい。
【００３９】
図６は、図１のＶＩ−ＶＩ線を含む切断面を見た場合の、照明装置１の部分断面図である。図２及び図６に示すように、発光モジュール２１は、基板１２０と、複数の第一光源１２１と、複数の第二光源１２２と、複数の配線部材１２０ａとを有する。
【００４０】
基板１２０は、Ｙ軸方向に長尺な矩形板状である。基板１２０には、複数の第一光源１２１及び複数の第二光源１２２が実装されている。基板１２０は、Ｘ−Ｙ平面と略平行となるように、照明部２０の収容体２５に設置されている。基板１２０には、複数の第一光源１２１及び複数の第二光源１２２に給電する配線部材１２０ａが固定されている。基板１２０は、配線部材１２０ａに接続された不図示のケーブルを介して照明制御部１３及び照明電源部１５と電気的に接続されている。本実施の形態では、配線部材１２０ａは、第一光源１２１と第二光源１２２との間に配置されている。
【００４１】
基板１２０は、第一光源１２１及び第二光源１２２が発した熱を放熱するように、図示しない放熱部に熱的に接続されていてもよい。放熱部は、外装カバー１２にも熱的に接続されていてもよく、外装カバー１２をヒートシンクとして機能させてもよい。
【００４２】
複数の第一光源１２１は、Ｙ軸方向に長尺なマトリクス状となるように、基板１２０に配列されている。複数の第二光源１２２の一部は、複数の第一光源１２１に対してＸ軸プラス方向側でＹ軸方向に沿って配列されている。一方、その他の複数の第二光源１２２は、複数の第一光源１２１に対してＸ軸マイナス方向側でＹ軸方向に沿って配列されている。言い換えれば、複数の第一光源１２１に対し、Ｘ軸プラス方向側で配列されている複数の第二光源１２２と、Ｘ軸マイナス方向側で配列されている複数の第二光源１２２とは、複数の第一光源１２１を挟むように基板１２０に配列されている。第二光源１２２は、光源の一例である。なお、第一光源１２１が光源の一例であってもよい。
【００４３】
第一光源１２１及び第二光源１２２は、光の出射方向がＺ軸マイナス方向を向いているため、Ｚ軸マイナス方向に光を出射する。光の出射方向、つまり第一光源１２１及び第二光源１２２の各々の光軸Ｊは、Ｚ軸方向と略平行である。
【００４４】
Ｘ軸プラス方向側で配列されている複数の第二光源１２２の光の出射方向側には、第一導光板３が配置されている。また、Ｘ軸マイナス方向側で配列されている複数の第二光源１２２の光の出射方向側には、第二導光板４が配置されている。Ｘ軸プラス方向側の第二光源１２２は、第一導光板３の入射面に光を照射する。また、Ｘ軸マイナス方向側の第二光源１２２は、第二導光板４の入射面に光を照射する。第二光源１２２は、光の出射方向がＺ軸マイナス方向に向くように基板１２０に配列されている。具体的には、Ｘ軸プラス方向側の第二光源１２２は、光軸Ｊが第一導光板３の入射面に略直交して、入射面と対向するように配置されている。また、Ｘ軸マイナス方向側の第二光源１２２は、光軸Ｊが第二導光板４の入射面に略直交して、入射面と対向するように配置されている。つまり、第二光源１２２は、第一導光板３及び第二導光板４の各々の入射面と略垂直な関係にある。
【００４５】
また、第二光源１２２と第一導光板３及び第二導光板４との間には、第二光源１２２と第一導光板３及び第二導光板４とが接触しないように隙間が空けられている。
【００４６】
第一光源１２１及び第二光源１２２は、いわゆるＳＭＤ（Ｓｕｒｆａｃｅ  Ｍｏｕｎｔ  Ｄｅｖｉｃｅ）型のＬＥＤ素子である。ＳＭＤ型のＬＥＤ素子とは、具体的には、樹脂成型されたキャビティの中にＬＥＤチップ（発光素子）が実装され、キャビティ内に蛍光体含有樹脂が封入されたパッケージ型のＬＥＤ素子である。例えば、青色ＬＥＤチップと黄色蛍光体含有樹脂との組み合わせにより白色光を放出する表面実装型ＬＥＤ素子が、第一光源１２１及び第二光源１２２として採用される。
【００４７】
第一光源１２１及び第二光源１２２は、照明制御部１３により制御されて点灯及び消灯を行う。また、第一光源１２１及び第二光源１２２は、照明制御部１３により制御されて調光及び調色が行われる。
【００４８】
なお、第一光源１２１及び第二光源１２２は、このような構成に限定されず、基板１２０上にＬＥＤチップが直接的に実装されたＣＯＢ（Ｃｈｉｐ  Ｏｎ  Ｂｏａｒｄ）型のモジュールが用いられてもよい。また、第一光源１２１及び第二光源１２２が有する発光素子は、ＬＥＤに限定されず、例えば、半導体レーザ等の半導体発光素子、又は、有機ＥＬ（Ｅｌｅｃｔｒｏ  Ｌｕｍｉｎｅｓｃｅｎｃｅ）や無機ＥＬ等のＥＬ素子等その他の固体発光素子であってもよい。
【００４９】
なお、もう一方側の発光モジュール２１も同様の構成であるためその説明を省略する。
【００５０】
［レンズカバー］
図２及び図３に示すように、一対のレンズカバー２３は、第一開口部２０ａを挟むように、第一開口部２０ａに対してＹ軸プラス方向側及びＹ軸マイナス方向側にそれぞれ配置されている。レンズカバー２３は、基板１２０と第一遮光部材５及び第二遮光部材６とによって固定されている。レンズカバー２３は、Ｙ軸方向に長尺な矩形板状をなし、透光性を有する例えば、アクリル、ポリカーボネート等の透明な樹脂材料で形成されている。
【００５１】
レンズカバー２３は、複数の第一光源１２１が出射した光を配光制御するレンズであり、複数のレンズを有する。レンズカバー２３は、複数の第一光源１２１を覆うように、発光モジュール２１に配置されている。具体的には、レンズカバー２３及び複数の第一光源１２１を平面視した場合に、レンズカバー２３に形成されている個々のレンズは、各々の第一光源１２１に一対一で対応している。レンズカバー２３の各々のレンズは、これらに対応する各々の第一光源１２１から出射した光が透過する際に、透過する光の配光角を制御する。
【００５２】
また、一対のレンズカバー２３のそれぞれの外端部には、切欠き２３１が設けられている。具体的には、Ｙ軸プラス方向側のレンズカバー２３には、Ｙ軸プラス方向側の端部に切欠き２３１が設けられている。Ｙ軸マイナス方向側のレンズカバー２３には、Ｙ軸マイナス方向側の端部に切欠き２３１が設けられている。切欠き２３１は、例えば、第一開口部２０ａ側の幅が小さく、反対側の幅が大きい平面視台形状に形成されている。
【００５３】
これら一対のレンズカバー２３は、複数の第一光源１２１が出射した光を配光制御して、発光する。一対のレンズカバー２３は、それぞれＹ軸方向に長尺であるので、透光カバー７の発光面２２もＹ軸方向に沿って長尺に設けられている。上述したように、一対のスピーカ４１及び一対のカバー体４２は、Ｙ軸方向において、照明部２０を挟んで配置されているので、一対のスピーカ４１と発光面２２とは、照明装置１を平面視した場合に重なっていない。
【００５４】
［収容体］
図２及び図６に示すように、収容体２５は、第一収容部２５１と、第二収容部２５２とを備えている。第一収容部２５１は、一対の発光モジュール２１と、一対のレンズカバー２３と、第一無線モジュール４６と、第二無線モジュール４７とを収容する筐体である。具体的には、第一収容部２５１は、Ｙ軸方向に長尺で扁平な筐体であり、Ｚ軸方向のマイナス方向側が全体として開放されている。第一収容部２５１は、第二収容部２５２におけるＺ軸マイナス方向側に配置されている。
【００５５】
第一収容部２５１には、一対の発光モジュール２１が複数の締結部材１９によって固定されている。また、第一収容部２５１には、一対のレンズカバー２３が第一遮光部材５、第二遮光部材６及び一対の発光モジュール２１を介して固定されている。また、第一収容部２５１の中央部には、第一開口部２０ａの一部をなす開口２５３ａが形成されている。
【００５６】
第二収容部２５２は、照明制御部１３と、照明電源部１５と、音響制御部１６と、音響電源部１７とを収容する筐体である。具体的には、第二収容部２５２は、Ｙ軸方向に長尺な略直方体状の筐体であり、Ｚ軸方向のマイナス方向側が全体として開放されている。この第二収容部２５２の開放された部分は、第一収容部２５１によって覆われている。
【００５７】
第二収容部２５２には、照明部２０用の第一回路基板２６０及び音響部４０用の第二回路基板２７０が固定されている。
【００５８】
照明部２０用の第一回路基板２６０には、照明制御部１３及び照明電源部１５をなす複数の回路部品が実装されている。音響部４０用の第二回路基板２７０には、音響制御部１６と及び音響電源部１７をなす複数の回路部品が実装されている。複数の回路部品には、例えば、電解コンデンサ、コイル、トランス、ノイズフィルタ、セラミックコンデンサ、抵抗素子、半導体素子などが挙げられる。
【００５９】
［第一無線モジュール、第二無線モジュール］
図３に示すように、第一無線モジュール４６は、Ｙ軸プラス方向側のレンズカバー２３の切欠き２３１内に配置されている。第一無線モジュール４６は、照明部２０用の無線信号を受信する無線モジュールである。第一無線モジュール４６は、図示しない配線を介して、照明部２０用の第一回路基板２６０に電気的に接続されている。これにより、第一無線モジュール４６が受信した無線信号は、第一回路基板２６０にある照明制御部１３に伝送される。
【００６０】
第二無線モジュール４７は、Ｙ軸マイナス方向側のレンズカバー２３の切欠き２３１内に配置されている。第二無線モジュール４７は、音響部４０用の無線信号を受信する無線モジュールである。第二無線モジュール４７は、図示しない配線を介して、音響部４０用の第二回路基板２７０に電気的に接続されている。これにより、第二無線モジュール４７が受信した無線信号は、第二回路基板２７０にある音響制御部１６に伝送される。
【００６１】
第一無線モジュール４６及び第二無線モジュール４７に採用される無線通信は、電波（すなわち、可視光及び赤外光を除く）を用いた通信である。第一無線モジュール４６及び第二無線モジュール４７は、例えば、Ｗｉ−Ｆｉ（登録商標）、Ｂｌｕｅｔｏｏｔｈ（登録商標）、ＢＬＥ又はＺｉｇＢｅｅ（登録商標）などの無線通信規格に基づいて無線通信を行う。
【００６２】
第一無線モジュール４６は、カプセル状の筐体と、筐体に収容された無線受信部（図示省略）とを備えている。第一無線モジュール４６の無線受信部は、照明装置１を操作するための操作端末から送信された無線信号を受信し、照明制御部１３に出力する。
【００６３】
第二無線モジュール４７は、カプセル状の筐体と、筐体に収容された無線受信部（図示省略）とを備えている。第二無線モジュール４７の無線受信部は、操作端末から送信された無線信号を受信し、音響制御部１６に出力する。
【００６４】
ここで、操作端末としては、無線通信可能な機器であれば如何様でもよく、例えば、スマートフォンなどの携帯端末、無線式のリモコンなどが挙げられる。操作端末は、照明部２０用の無線信号を出力する。照明部２０用の無線信号は、照明部２０を制御するための信号である。照明部２０用の無線信号には、例えば、第一光源１２１及び第二光源１２２を点灯させるための点灯指示、第一光源１２１及び第二光源１２２を消灯させるための消灯指示、又は、第一光源１２１及び第二光源１２２の調光比若しくは色温度（光色）を選択する指示などが含まれる。
【００６５】
また、操作端末は、音響部４０用の無線信号を出力する。音響部４０用の無線信号は、音響部４０を制御するための信号である。音響部４０用の無線信号には、例えば、スピーカ４１を起動させるための起動指示、スピーカ４１を停止させるための停止指示、音量を調整するための音量指示、スピーカ４１が出力する音データなどが含まれる。
【００６６】
また、第一無線モジュール４６と第二無線モジュール４７とは、第一収容部２５１内に配置されている。具体的には、第一無線モジュール４６は、Ｙ軸プラス方向側のレンズカバー２３の切欠き２３１内に配置されており、Ｙ軸プラス方向側の壁部に近接されている。一方、第二無線モジュール４７は、Ｙ軸マイナス方向側のレンズカバー２３の切欠き２３１内に配置されており、Ｙ軸マイナス方向側の壁部に近接されている。このように、第一無線モジュール４６と第二無線モジュール４７とは、一対のレンズカバー２３を、Ｙ軸方向で挟んで対向する位置に配置されている。これにより、一対のレンズカバー２３から照射された光が、第一無線モジュール４６と第二無線モジュール４７とによって遮られることが抑制される。また、第一収容部２５１内において、第一無線モジュール４６と第二無線モジュール４７とを極力距離を離して配置しているので、第一無線モジュール４６が受信する照明部２０用の無線信号と、第二無線モジュール４７が受信する音響部４０用の無線信号とが干渉しにくくなる。
【００６７】
［照明制御部］
図２及び図３に示すように、照明制御部１３は、第一光源１２１、第二光源１２２、第一無線モジュール４６と電気的に接続されている。照明制御部１３は、例えば第一光源１２１及び第二光源１２２の点灯回路部を制御することで、第一光源１２１及び第二光源１２２から出射させる光を調光制御及び調色制御することができる。照明制御部１３は、第一無線モジュール４６で受信された照明部２０用の無線信号に基づいて第一光源１２１及び第二光源１２２を制御する。例えば、照明制御部１３は、Ｙ軸プラス方向側の複数の第一光源１２１だけの点灯、Ｙ軸マイナス方向側の複数の第一光源１２１だけの点灯、全ての第一光源１２１だけの点灯、Ｘ軸プラス方向側で配列された複数の第二光源１２２だけの点灯、Ｘ軸マイナス方向側で配列された複数の第二光源１２２だけの点灯、又は、これらの組み合わせによる点灯を、照明部２０用の無線信号に基づいて制御することができる。
【００６８】
照明制御部１３は、例えば、ＣＰＵ（Ｃｅｎｔｒａｌ  Ｐｒｏｃｅｓｓｉｎｇ  Ｕｎｉｔ）を備えたマイクロコンピュータを用いて構成することができる。照明制御部１３は、例えば記憶部に記憶させた適宜のプログラムを実行させることで、所定の照明制御動作を行うことができる。記憶部は、例えば、フラッシュメモリやＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｏａｄ  Ｏｎｌｙ  Ｍｅｍｏｒｙ）などの不揮発性半導体メモリを用いて構成することができる。
【００６９】
［音響制御部］
また、音響制御部１６は、第二無線モジュール４７で受信された音響部４０用の無線信号に基づいてスピーカ４１を制御する。例えば、音響制御部１６は、無線信号に含まれる音データ及び音量指示に基づいてスピーカ４１を制御することで、スピーカ４１から音を出力させる。
【００７０】
音響制御部１６は、例えば、ＣＰＵを備えたマイクロコンピュータを用いて構成することができる。音響制御部１６は、例えば記憶部に記憶させた適宜のプログラムを実行させることで、所定の音響制御動作を行うことができる。記憶部は、例えば、フラッシュメモリやＥＥＰＲＯＭなどの不揮発性半導体メモリを用いて構成することができる。音響制御部１６は、音データを増幅するアンプ回路を含んでいてもよい。
【００７１】
［照明電源部］
照明電源部１５は、外部からの電力によって駆動する駆動回路、発光モジュール２１を発光させるための電力を供給するケーブル等を有する。照明電源部１５は、ケーブルを介して発光モジュール２１に電力を供給する。
【００７２】
［音響電源部］
音響電源部１７は、外部からの電力によって駆動する駆動回路、一対のスピーカ４１を駆動させるための電力を供給するケーブル等を有する。音響電源部１７は、ケーブルを介して一対のスピーカ４１に電力を供給する。
【００７３】
［導光板］
図３及び図６に示すように、第一導光板３は、複数の第一光源１２１のＸ軸プラス方向側に配置されている。第一導光板３は、Ｘ軸マイナス方向側の一端部が外装カバー１２内で固定され、Ｘ−Ｙ平面と略平行となるように支持されている。第一導光板３は、Ｙ軸方向に長尺な板材であり、第一光源１２１のＸ軸プラス方向側に配列された複数の第二光源１２２からの光を導光する光学部材である。第一導光板３は、アクリル、ポリカーボネート等の樹脂又はガラス等の透光性の部材であるが、透光性があればその他どのような材料で形成されてもよい。なお、第一導光板３の形状は、矩形状に限らず、円盤状でもよく、多角形状など、他の形状でもよい。第一導光板３は、導光板の一例である。
【００７４】
第一導光板３は、湾曲部３１と、平板部３５と、複数の係合部３９とを有する。
【００７５】
湾曲部３１は、第一導光板３におけるＸ軸マイナス方向の一端部側の部分であり、レンズカバー２３に沿ってＹ軸方向に長尺である。湾曲部３１は、Ｘ−Ｚ平面で切断した場合の断面視で、第二光源１２２側から略円弧状に湾曲している。湾曲部３１は、第二光源１２２が出射した光を平板部３５に向けて導光する。
【００７６】
係合部３９は、湾曲部３１の第一光源１２１側の端部から突出している。この係合部３９は、第一遮光部材５、第一導光板３及び発光モジュール２１とともに、締結部材１９によって共締めされる。
【００７７】
平板部３５は、湾曲部３１を通過した光を導光して出射することで、当該平板部３５の周囲を照明する板状部である。平板部３５は、Ｘ−Ｙ平面と略平行に保持されている。平板部３５は、装置本体２の長尺な縁辺から外方に向けて延設している。また、平板部３５は、Ｙ軸方向に長尺な矩形板状の平板である。
【００７８】
平板部３５は、プリズム面３５ａと、出射面３５ｂとを有する。
【００７９】
プリズム面３５ａは、平板部３５のＺ軸プラス方向側の面である。プリズム面３５ａは、Ｘ−Ｙ平面と略平行である。プリズム面３５ａは、平板部３５が導光する光を出射面３５ｂ側に向けて反射するように形成された面である。具体的には、プリズム面３５ａには、Ｚ軸マイナス方向に凹むプリズムが複数形成されている。プリズムは、例えば、円錐状、角錐状、円錐台状、角錐台状、半球状等に凹んだ形状であってもよい。なお、プリズム面３５ａは、光を反射するだけでなく、例えば天井等を照明する光を出射してもよい。また、プリズム面３５ａは、切削や、印刷などによって形成することが可能である。
【００８０】
出射面３５ｂは、平板部３５のＺ軸マイナス方向側の面であり、プリズム面３５ａと反対側の面である。出射面３５ｂは、Ｘ−Ｙ平面と略平行な平面である。出射面３５ｂは、例えば床、壁等を照明する光を出射する。
【００８１】
第二導光板４は、複数の第一光源１２１のＸ軸マイナス方向側に配置されている。第二導光板４は、Ｘ軸マイナス方向側の一端部が外装カバー１２内で固定され、Ｘ−Ｙ平面と略平行となるように支持されている。第二導光板４は、Ｙ軸方向に長尺な板状であり、第一光源１２１のＸ軸マイナス方向側に配列された第二光源１２２からの光を導光する光学部材である。第二導光板４は、導光板の一例である。
【００８２】
なお、第二導光板４については、装置本体２の中心を通過するＹ−Ｚ平面に対して第一導光板３と対称な構成である。つまり、第一導光板３及び第二導光板４は、装置本体２における互いに対向する長尺な一対の縁辺のそれぞれから外方に向けて延設している。言い換えれば、第一導光板３及び第二導光板４は、当該照明装置１を平面視した場合に、照明部２０を挟んでそれぞれに配置されている。第一導光板３及び第二導光板４は、略同一のＸ−Ｙ平面上に存在する。このことから、第二導光板４における第一導光板３と同等の部分については同じ符号を用いて他の説明を省略する。
【００８３】
図３に示すように、第一導光板３と第二導光板４とは、照明装置１を平面視した場合に音響部４０と重なっていない。このため、第一導光板３と第二導光板４とのそれぞれから出射された光は、音響部４０に遮られることがない。また、音響部４０から出力された音も、第一導光板３と第二導光板４とによって遮られることがない。
【００８４】
［支持部材］
図２及び図３に示すように、支持部材８は、Ｙ軸方向に沿って長尺な板材であり、第一導光板３の平板部３５を照明部２０に支持する部材である。支持部材８は、平板部３５の出射面３５ｂ側に配置される。支持部材８と、第二収容部２５２の貫通孔とに対して図示しないネジを挿入して締結すると、支持部材８と第二収容部２５２とが第一導光板３の平板部３５を挟持する。これにより支持部材８が第一導光板３を下方から支持するので、当該第一導光板３の姿勢が保持されることとなる。
【００８５】
［遮光部材］
第一遮光部材５は、複数の第一光源１２１が出射する光が第一導光板３に入射しないように、第一導光板３の湾曲部３１と複数の第一光源１２１との間に配置されている。第一遮光部材５は、第一導光板３及びレンズカバー２３に沿って、Ｙ軸方向に長尺である。第一遮光部材５は、第一導光板３における湾曲部３１から出射する光を遮光する。また、第一遮光部材５は、光を反射する光反射機能を有する。第一遮光部材５は、例えばポリブチレンテレフタレート等の非透光性の白色樹脂等で形成されている。また、第一遮光部材５は、アクリルやポリカーボネート等の樹脂材料に白色の樹脂を塗装して形成してもよい。なお、第一遮光部材５は、光拡散機能を有していてもよい。
【００８６】
なお、もう一方の第二遮光部材６については、装置本体２の中心を通過するＹ−Ｚ平面に対し第一遮光部材５と対称な構成であるため、第一遮光部材５と同等の部分については同じ符号を用いて他の説明を省略する。
【００８７】
［透光カバー］
図２及び図６に示すように、透光カバー７は、装置本体２のＺ軸マイナス方向側に配置されている。透光カバー７は、照明装置１をＺ軸方向から見た場合において複数の第一光源１２１を覆うカバー部材であり、複数の第一光源１２１から出射した光が透過する透光性を有する。透光カバー７は、Ｙ軸方向に長尺な矩形状である。透光カバー７は、例えばアクリルやポリカーボネート等の透光性樹脂又はガラス等の透光性を有する材料で構成されている。透光カバー７は、さらに、光拡散性を有していてもよい。つまり、透光カバー７は、透明カバーではなく、透光性及び光拡散性を有する拡散カバーであってもよい。この場合、透光カバー７は、光拡散材が内部に分散された乳白色の拡散パネルとすることができる。このような拡散カバーは、光拡散材を混合した透光性樹脂材料を所定形状に樹脂成型することによって作製することができる。光拡散材としては、シリカ粒子等の光反射性微粒子を用いることができる。
【００８８】
透光カバー７は、出射する光の光軸Ｊに略垂直な発光面２２を有する。発光面２２は、照明部２０のＺ軸マイナス方向に配置された透光カバー７のＺ軸マイナス方向側の面であり、透光カバー７を透光した光が出射する面である。発光面２２は、Ｘ−Ｙ平面と略平行である。光軸Ｊは、照明装置１が出射する光の光軸であり、例えば、複数の第一光源１２１及び複数の第二光源１２２の各々の光軸であってよく、透光カバー７から出射する光の光軸であってもよく、第一導光板３及び第二導光板４の各々の出射面３５ｂから出射した光の光軸であってもよい。光軸Ｊは、Ｚ軸方向と略平行である。
【００８９】
なお、発光面２２は、レンズカバー２３を平面視した場合におけるＺ軸マイナス方向側の面を発光面としてもよい。また、発光面２２は、一対の発光モジュール２１に備えられている複数の第一光源１２１の発光素子の発光面としてもよい。また、第一光源１２１の発光素子を発光面とする場合、複数の第一光源１２１は、基板１２０にマトリクス状に配列された、各々を構成する発光素子が発光面２２を構成してもよい。また、第二光源１２２の発光素子を発光面とする場合も、複数の第二光源１２２は、基板１２０にマトリクス状に配列された、各々を構成する発光素子が発光面２２を構成してもよい。
【００９０】
透光カバー７は、第一透光カバー７０と、第二透光カバー８０とを有する。
【００９１】
第一透光カバー７０は、照明装置１をＺ軸方向から見た場合における外側のカバー部材である。第一透光カバー７０は、Ｙ軸方向に長尺な矩形板状である。第一透光カバー７０は、図示しない複数の係止片を有しており、この複数の係止片が第二透光カバー８０を係止することで、第二透光カバー８０を保持している。第一透光カバー７０は、Ｘ−Ｙ平面と略平行であり、発光面２２とも略平行である。
【００９２】
第二透光カバー８０は、第一透光カバー７０と装置本体２との間に配置される。第二透光カバー８０は、カバー枠部８１と、カバー枠部８１の内側から、湾曲部３１に沿うように傾斜した傾斜部８３とを有する。
【００９３】
カバー枠部８１は、Ｙ軸方向に長尺な矩形板状の枠体であり、第一透光カバー７０の複数の係止片と係合している。傾斜部８３は、カバー枠部８１の内縁側に形成され、カバー枠部８１に沿ってＹ軸方向に長尺である。傾斜部８３は、Ｚ−Ｘ平面で切断した断面を見た場合に、第一遮光部材５及び第二遮光部材６に沿うように、円弧状に湾曲している。
【００９４】
［動作］
照明装置１は、操作端末から送信された、照明部２０用の無線信号及び音響部４０用の無線信号に基づいて、ユーザが所望する照明及び音出力を実行する。
【００９５】
まず、照明装置１における照明時の動作について説明する。
【００９６】
照明制御部１３は、第一無線モジュール４６で受信された照明部２０用の無線信号に基づいて第一光源１２１及び第二光源１２２を制御する。複数の第一光源１２１から出射した光は、レンズカバー２３のレンズで配光制御されて透光カバー７を透光し、照明装置１のＺ軸方向に進む。また、Ｙ軸プラス方向側及びＹ軸マイナス方向側の複数の第二光源１２２から出射した光は、第一導光板３及び第二導光板４の各々の入射面に入射して湾曲部３１及び平板部３５を導光する。湾曲部３１では、当該湾曲部３１の外面で反射されたり、外面から出射しても第一遮光部材５及び第二遮光部材６で反射された光が入射したりする。平板部３５を導光する一部の光は、プリズム面３５ａで反射されて出射面３５ｂに向かい、出射面３５ｂから出射する。こうして、この照明装置１では、透光カバー７、第一導光板３及び第二導光板４の各々から照明光を出射することで、周囲を照明することができる。
【００９７】
次に、照明装置１における音出力時の動作について説明する。音響制御部１６は、第二無線モジュール４７で受信された音響部４０用の無線信号に基づいてスピーカ４１を制御する。一対のスピーカ４１からは、音データに基づく音が出力される。音の出力時においては、一対のスピーカ４１からは当該音を起因とした振動が発生する。この振動は、照明部２０にも伝わる。例えば、一対のスピーカ４１からの振動が照明部２０に対して偏って伝わる場合には照明部２０も大きく振動して、照明光も大きく揺らめくことになる。しかし、本実施の形態では、一対のスピーカ４１の重心が、第一開口部２０ａを平面視した場合に第一開口部２０ａ内に配置されているために、一対のスピーカ４１のそれぞれからは照明部２０に対して概ね均等に振動が伝わることになる。これにより、照明部２０は比較的揺れにくくなって、揺らめきの小さい照明光とすることができる。特に、本実施の形態では、照明装置１全体の重心が、第一開口部２０ａを平面視した場合に第一開口部２０ａ内に配置されているので、照明装置１全体がバランスよく造営材に設置されており、揺れにくい支持構造となっている。このため、スピーカ４１からの音を起因とした振動が照明部２０により影響しにくくなっている。
【００９８】
［作用効果］
次に、本実施の形態における照明装置１の作用効果について説明する。
【００９９】
上述したように、本実施の形態に係る照明装置１は、光を出射する照明部２０と、音響を発する音響部４０と、照明部２０及び音響部４０を収容する外装カバー１２とを備える。そして、音響部４０は、照明部２０の外周に配置されており、音響の指向性の中心方向が、照明部２０が出射する光の光軸Ｊと交差する。
【０１００】
このように、音響部４０は、照明部２０の外周に配置されている。さらに、音響部４０は、音響の指向性の中心方向（中心線Ｓ）が光軸Ｊと交差するように、発光面２２に対して角度θで傾斜して配置されている。このため、音響部４０を発光面２２と略平行に配置した場合に比べて、音響部４０から出力した音は、照明装置１の外側に広がり易くなる。また、音響部４０を傾斜して配置するだけで、照明装置１から外側に向けて音を広げることができるため、照明装置１の構造が複雑化し難い。
【０１０１】
したがって、この照明装置１では、簡易な構造で、音の広がりを大きくすることができる。
【０１０２】
特に、この照明装置１を室内に配置した場合に、音響部４０の中心線Ｓは光軸Ｊに対して傾いているため、従来の指向性の中心線Ｓが鉛直方向に向いている照明装置に比べて、照明装置１の周辺に存在するユーザに音が伝わり易くなる。この照明装置１を室内の中央に配置した場合では、より効果的に音を広げることができる。
【０１０３】
また、本実施の形態に係る照明装置１において、中心方向と光軸Ｊとの角度θは、０°よりも大きく、４５°以下である。
【０１０４】
このように、角度θを０°よりも大きく、４５°以下とすることで、より広範囲に音を広げることができる。
【０１０５】
また、本実施の形態に係る照明装置１において、中心方向と光軸Ｊとの角度θは、５°以上２５°以下である。
【０１０６】
このように、中心方向と光軸Ｊとの角度θを５°以上２５°以下とすることで、より広範囲に音を広げることができる。
【０１０７】
また、本実施の形態に係る照明装置１において、音響部４０は、照明装置１に対して外方に傾く姿勢で配置されている。
【０１０８】
このように、音響部４０が照明装置１に対して外方に傾く姿勢で配置されているため、照明装置１の外側に音が広がり易くなる。
【０１０９】
また、本実施の形態に係る照明装置１は、さらに、照明部２０の外方に向けて延設する第一導光板３及び第二導光板４と、第一導光板３及び第二導光板４に対して光を入射させる第二光源１２２とを備える。
【０１１０】
これによれば、第一導光板３及び第二導光板４を備えた照明装置１であっても、照明部２０用の無線信号と音響部４０用の無線信号との干渉を抑制することができる。
【０１１１】
また、本実施の形態に係る照明装置１において、導光板は、第一導光板３及び第二導光板４の一対設けられている。そして、第一導光板３及び第二導光板４は、当該照明装置１を平面視した場合に、照明部２０を挟んでそれぞれに配置されている。
【０１１２】
これによれば、照明部２０を挟んで対向する第一導光板３及び第二導光板４を備えた照明装置１であっても、照明部２０用の無線信号と音響部４０用の無線信号との干渉を抑制することができる。
【０１１３】
また、本実施の形態に係る照明装置１において、照明部２０は、長尺状である。また、音響部４０は、一対設けられている。そして、音響部４０は、照明部２０を挟んで照明部２０の長手方向のそれぞれに配置されている。
【０１１４】
このように、一対の音響部４０は、長尺な照明部２０を挟んで照明部２０の長手方向のそれぞれに配置されている。このため、一方の音響部４０と他方の音響部４０との距離が離れた位置に配置される。その結果、照明装置１の外側に音を広げ易くなる。
【０１１５】
（その他の変形例等）
以上、本発明について、実施の形態に基づいて説明したが、本発明は、上記実施の形態に限定されるものではない。以降の説明において、上記実施の形態と同一の部分においては、同一の符号を付してその説明を省略する場合がある。
【０１１６】
例えば、上記実施の形態では、上記実施の形態では、一対の導光板（第一導光板３及び第二導光板４）を備えた照明装置１を例示して説明したが、導光板の設置個数は、１つであっても３つ以上であってもよい。また、導光板は、装置本体２を囲むように配置された環状体であってもよい。また、導光板を備えていない照明装置１であってもよい。
【０１１７】
また、上記実施の形態では、外装カバー１２に音響部４０が収容されているが、外装カバー１２が第一外装カバー、及び一対の第二外装カバーで構成されていてもよい。この場合、第一外装カバーが照明部２０、第一無線モジュール４６、第二無線モジュール４７、第一遮光部材５、第二遮光部材６、照明制御部１３、照明電源部１５、音響制御部１６及び音響電源部１７等を収容し、第二外装カバーが音響部４０等を収容していてもよい。そして、一対の第二外装カバーが第一外装カバーを挟んで第一外装カバーの長手方向のそれぞれに配置されていてもよい。一対の第二外装カバーは、第一外装カバーにネジ等の締結部材によって固定されていてもよい。
【０１１８】
また、上記実施の形態では、一対の音響部４０は、照明装置１に対して外方に傾く姿勢で配置されているが、これには限定されない。例えば、一対の音響部４０は、内方に傾く姿勢で配置されていてもよい。この場合、一方のスピーカ４１の中心線Ｓと他方のスピーカ４１の中心線Ｓとの交点は、照明装置１のＺ軸プラス方向側に形成される。
【０１１９】
また、上記実施の形態では、一対のカバー体４２はＸ−Ｙ平面に対して傾いているが、Ｘ−Ｙ平面と略平行であってもよい。つまり、一対のスピーカ４１が傾くことで、音響の指向性の中心方向が、照明部２０が出射する光の光軸と交差しておればよく、一対のカバー体４２の傾きに影響されない。
【０１２０】
また、上記実施の形態では、第一導光板３の出射面３５ｂ、第二導光板４の出射面３５ｂ、及び第一透光カバー７０のＺ軸マイナス側の面は、略同一の平面上に配置されていてもよい。この場合に、一対のカバー体４２の底面は、第一透光カバー７０のＺ軸マイナス側の面に対して滑らかに傾斜する面であってもよい。
【０１２１】
また、上記実施の形態では、一対のスピーカ４１が装置本体２における長手方向の両端部に設けられている場合を例示したが、一対のスピーカ４１の設置箇所は如何様でもよい。例えば、一対のスピーカ４１は、収容体内に配置されていてもよい。また、スピーカ４１は、一つの照明装置１に対して、１つでも３つ以上でも設けられていてもよい。また、１つのスピーカ４１としては、装置本体２を囲む環状のスピーカ４１であってもよい。この場合、環状の１つのスピーカ４１の重心が装置本体２の第一開口部２０ａ内に配置されていれば、照明装置１の重量バランスを保つことができる。また、スピーカ４１が複数ある場合においても、複数のスピーカ４１の複合的な重心が、装置本体２の第一開口部２０ａ内に配置されていれば、照明装置１の重量バランスを保つことができる。
【０１２２】
また、上記実施の形態では、第一無線モジュール４６と第二無線モジュール４７とが、第一収容部２５１の壁部内に配置されている場合を例示した。しかし、第一無線モジュール４６と第二無線モジュール４７とは、照明部２０を挟むように配置されているのであれば、照明装置１のいずれの場所に配置されていてもよい。例えば、第一無線モジュール４６と第二無線モジュール４７とのそれぞれは、音響部４０の一対のカバー体４２のそれぞれの内方に配置されていてもよい。
【０１２３】
また、上記実施の形態では、第一導光板３及び第二導光板４を備えた照明装置１を例示したが、導光板を有さない照明装置であってもよい。
【０１２４】
また、上記実施の形態では、平面視十字形状の照明装置１を例示したが、照明装置１の平面視形状は如何様でもよい。その他の照明装置１の平面視形状としては、円形状、矩形状、矩形状以外の多角形状、楕円状などが挙げられる。
【０１２５】
その他、実施の形態に対して当業者が思いつく各種変形を施して得られる形態や、本発明の趣旨を逸脱しない範囲で実施の形態における構成要素及び機能を任意に組み合わせることで実現される形態も本発明に含まれる。
【符号の説明】
【０１２６】
１  照明装置
３  第一導光板（導光板）
４  第二導光板（導光板）
１２  外装カバー（筐体）
２０  照明部
２２  発光面
４０  音響部
１２２  第二光源（光源）
【図１】
2019102291.tif 000003
【図２】
2019102291.tif 000004
【図３】
2019102291.tif 000005
【図４】
2019102291.tif 000006
【図５】
2019102291.tif 000007
【図６】
2019102291.tif 000008